(57)【要約】【課題】  医用機器に、通常の検査業務を妨げることなく遠隔アクセスを行うことが出来る遠隔アクセスシステムを提供すること。【解決手段】  保守用端末上で、医用機器に対してリモートアクセスの許可を申請し、医用機器へのリモートアクセスの許可証を受信して表示し、医用機器上で、保守用端末から送信されたリモートアクセス許可申請を受信し、受信したリモートアクセス許可申請を管理して、装置の処理状態がアクセス可能かを判断し、受信したリモートアクセス申請を表示し、申請に対する承認・却下を行うリモートアクセス申請審査をする。さらに、リモートアクセス申請に対する承認を表す許可証を作成し、作成した許可証を保守用端末へ送信し、リモートアクセスの許可を与えることを特徴とする遠隔アクセスシステム。【選択図】  図２
2008097187.tif 000002
【特許請求の範囲】
【請求項１】
保守用端末側に医用機器に対するリモートアクセスの許可を申請するリモートアクセス
手段と、
医用機器へのリモートアクセスの許可証を受信するリモートアクセス許可証受信手段と、
受信したリモートアクセスの許可証を表示するリモートアクセス許可証表示手段と、
医用機器上に、保守用端末から送信されたリモートアクセス許可申請を受信するリモート
アクセス申請受付手段と、
受信したリモートアクセス許可申請を管理するリモートアクセス申請管理手段と、
装置の処理状態を管理する装置状態管理手段と、
受信したリモートアクセス申請を表示し、申請に対する承認・却下を行うリモートアクセ
ス申請審査手段と、
リモートアクセス申請に対する承認または却下を表す許可証を作成し、作成した許可証を
保守用端末へ送信するリモートアクセス許可証送信手段と、
リモートアクセス許可証送信手段にリモートアクセスの許可を指示するリモートアクセス
申請処理手段と、を備えることを特徴とするリモートアクセスシステム。
【請求項２】
保守用端末側または保守サービス会社内に、リモートアクセスの監査結果を受信するリモ
ートアクセス監査結果受信手段と、
受信したリモートアクセス監査結果を登録するリモートアクセス監査結果登録手段と、
登録された監査結果を管理するリモートアクセ監査結果管理手段と、
管理されている監査結果を検索して表示するリモートアクセス監査結果表示手段と、
医用機器上に、セキュリティログをもとに監査用のリモートアクセスの記録を作成するリ
モートアクセス記録作成手段と、
作成したリモートアクセス記録を表示し、その記録に対する承認・却下を行うリモートア
クセス監査手段と、
監査結果を保守用端末へ送信するリモートアクセス監査結果送信手段と、
リモートアクセス監査結果送信手段に監査結果の送信を指示するリモートアクセス監査処
理手段と、を備えることを特徴とする請求項１記載のリモートアクセスシステム。
【請求項３】
保守用端末側または保守サービス会社内に、ユーザのログオン／ログオフを記録するユー
ザ認証手段と、
ユーザの認証結果を中央管理するユーザ認証記録管理手段と、
リモートアクセス監査結果とユーザ認証結果を監査レポートとして作成する監査レポート
作成手段と、
前記監査レポートを表示する監査レポート表示手段と、
前記監査レポートを送信する監査レポート送信手段と、を備えることを特徴とする請求項
１または２記載のリモートアクセスシステム。
【請求項４】
リモートアクセス許可証送信手段は、リモートアクセス申請に対して作成した許可証が
承認の場合のみ保守用端末へ送信することを特徴とする請求項１記載のリモートアクセス
システム。
【請求項５】
リモートアクセス記録作成手段は、過去にチェックしたレコードの日付と時刻を記録し
、その日付と時刻以降のレコードからチェックすることを特徴とする請求項２記載のリモ
ートアクセスシステム。
【請求項６】
監査レポート作成手段は、監査レポートをＸＭＬ形式で作成することを特徴とする請求
項３記載のリモートアクセスシステム。
【請求項７】
医用機器に対するリモートアクセスの許可を申請するリモートアクセス手段と、
医用機器へのリモートアクセスの許可証を医用機器側から受信するリモートアクセス許可
証受信手段と、
受信した前記リモートアクセスの許可証を表示するリモートアクセス許可証表示手段と、
を備えたことを特徴とする保守用端末。
【請求項８】
保守用端末から送信されたリモートアクセス許可申請を受信するリモートアクセス申請
受付手段と、
受信したリモートアクセス許可申請を管理するリモートアクセス申請管理手段と、
装置の処理状態を管理する装置状態管理手段と、
受信したリモートアクセス申請を表示し、申請に対する承認・却下を行うリモートアクセ
ス申請審査手段と、
リモートアクセス申請に対する承認または却下を表す許可証を作成し、作成した許可証を
保守用端末へ送信するリモートアクセス許可証送信手段と、
リモートアクセス許可証送信手段にリモートアクセスの許可を指示するリモートアクセス
申請処理手段と、を備えたことを特徴とする医用機器。
【請求項９】
医用機器側からリモートアクセスの監査結果を受信するリモートアクセス監査結果受信
手段と、
受信したリモートアクセス監査結果を登録するリモートアクセス監査結果登録手段と、
登録された監査結果を管理するリモートアクセ監査結果管理手段と、
管理されている監査結果を検索して表示するリモートアクセス監査結果表示手段と、を備
えたことを特徴とする保守端末。
【請求項１０】
セキュリティログをもとに監査用のリモートアクセスの記録を作成するリモートアクセス
記録作成手段と、
作成したリモートアクセス記録を表示し、その記録に対する承認・却下を行うリモートア
クセス監査手段と、
監査結果を保守用端末へ送信するリモートアクセス監査結果送信手段と、
リモートアクセス監査結果送信手段に監査結果の送信を指示するリモートアクセス監査処
理手段と、を備えることを特徴とする医用機器。
【請求項１１】
ユーザのログオン／ログオフを記録するユーザ認証手段と、
ユーザの認証結果を中央管理するユーザ認証記録管理手段と、
医用機器から受信したリモートアクセス監査結果と、前記ユーザ認証結果を監査レポート
として作成する監査レポート作成手段と、
前記監査レポートを表示する監査レポート表示手段と、
前記監査レポートを送信する監査レポート送信手段と、を備えることを特徴とする保守用
端末。
【請求項１２】
リモートアクセス許可証送信手段は、リモートアクセス申請に対して作成した許可証が
承認の場合のみ保守用端末へ送信することを特徴とする請求項８記載の医用機器。
【請求項１３】
リモートアクセス記録作成手段は、過去にチェックしたレコードの日付と時刻を記録し
、その日付と時刻以降のレコードからチェックすることを特徴とする請求項１０記載の医
用機器。
【請求項１４】
監査レポート作成手段は、監査レポートをＸＭＬ形式で作成することを特徴とする請求
項１１記載の保守用端末。
【発明の詳細な説明】
【技術分野】
【０００１】
本発明は、医用機器のネットワークセキュリティに係り、特に、保守用端末が医用機器
に対してネットワークを介してリモートアクセスする際のリモートアクセスシステム及び
リモートアクセスを行う保守用端末及びリモートアクセスが行われる医用機器に関する。
【背景技術】
【０００２】
医用機器とは、Ｘ線診断装置やＸ線ＣＴ装置やＭＲＩ装置など生体の診断等に用いる装
置であり、その装置の故障は患者の救命に重大な影響を及ぼす可能性がある。また、医用
機器は緊急に用いられる場合もあり、常に使用可能な状態にあることが求められている。
このため、医用機器の故障を防止するため定期的なメンテナンスや必要に応じた修理が欠
かせない。
【０００３】
そこで、メンテナンスをリモートで行うために、従来のリモートアクセスシステムでは
、複数の医用機器を相互に接続し、データを転送するネットワークと、医用機器と同一サ
イトに置かれるリモートメンテナンス用コンピュータと、医用機器とは異なる遠隔サイト
であるサポートセンタに置かれるサポートセンタ用コンピュータからなり、医用機器とリ
モートメンテナンス用コンピュータとをＬＡＮで接続し、リモートメンテナンス用コンピ
ュータを介して、公衆回線もしくは専用回線を通じて遠隔サイトのサポートセンタにある
サポート用コンピュータに接続するという構成がとられている。
【０００４】
このような従来のリモートメンテナンスシステムでは、サポートセンタにいるオペレー
タが随時あるいは定期的にメンテナンス用コンピュータにメンテナンスを開始させる。す
ると、メンテナンス用コンピュータは、メンテナンス用ネットワークを通じて医用機器に
自己診断要求を行う。その自己診断によって生成されたログファイルはメンテナンス用ネ
ットワークを介してメンテナンス用コンピュータに返送される。この後、メンテナンス用
コンピュータは、ログファイルをメールの添付として、サポートセンタ用サーバへ外部回
線を介して送信する（例えば、特許文献１参照。）。
【０００５】
なお、リモートアクセス時には、ユーザＩＤやパスワードを使用した認証、着信した電
話番号からの着信認証、ＬＡＮ側のセキュリティを確保するためのＩＰパケットフィルタ
リング、発信者番号通知昨日で相手を認識しコールバックを行う自動コールバックなど一
般的に知られているセキュリティ対策が実施されている。
【特許文献１】特開２００３−５０７１８号公報
【発明の開示】
【発明が解決しようとする課題】
【０００６】
しかしながら、特許文献１に記載されたリモートアクセスシステムでは、リモートメン
テナンス用コンピュータへサポートセンタ用コンピュータからの要求が発生すると、リモ
ートメンテナンス用コンピュータはすぐに応答して診断を行う。このため、医用機器で突
発的な処理が発生したり、通常検査業務を阻害するようなウィンドウが表示されたりする
という問題があった。
【０００７】
そこで本発明は、医用機器に、通常の検査業務を妨げることなくリモートアクセスを行
うことが出来るリモートアクセスシステムを提供することを目的とする。
【課題を解決するための手段】
【０００８】
上記目的を達成するために、本発明のリモートアクセスシステムは、保守用端末上に医
用機器に対するリモートアクセスの許可を申請するリモートアクセス手段と、医用機器へ
のリモートアクセスの許可証を受信するリモートアクセス許可証受信手段と、受信したリ
モートアクセスの許可証を表示するリモートアクセス許可証表示手段と、医用機器上に、
保守用端末から送信されたリモートアクセス許可申請を受信するリモートアクセス申請受
付手段と、受信したリモートアクセス許可申請を管理するリモートアクセス申請管理手段
と、装置の処理状態を管理する装置状態管理手段と、受信したリモートアクセス申請を表
示し、申請に対する承認・却下を行うリモートアクセス申請審査手段と、リモートアクセ
ス申請に対する承認を表す許可証を作成し、作成した許可証を送信するリモートアクセス
許可証送信手段と、リモートアクセス許可証送信手段にリモートアクセスの許可を指示す
るリモートアクセス申請処理手段と、を備えることを特徴とする。
【発明の効果】
【０００９】
医用機器に、通常の検査業務を妨げることなくリモートアクセスを行うことが出来るリモ
ートアクセスシステムを提供する。
【発明を実施するための最良の形態】
【００１０】
以下に、本発明によるリモートアクセスシステムの実施例を図１乃至図１３を参照して説
明する。
【実施例１】
【００１１】
図１乃至図７を参照して、実施例１を説明する。
【００１２】
図１は医用機器が設置される医療機関側のネットワーク構成と、リモートアクセスを行
う保守サービス会社のネットワーク構成を示す図である。図１では、医療機関のネットワ
ークは複数のネットワークセグメントから構成されており、パブリックネットワーク６（
インターネット）に接続している。また、医用機器４は、その医用機器４を保有する部門
のネットワークセグメント５に接続しており、フィルムを印刷するイメージャ１、撮影し
た画像を保管管理する画像管理システムＰＡＣＳ２、撮影した画像の読影を行う読影端末
３がそれぞれネットワークでつながり、同じネットワークセグメント５を形成している。
また、このネットワークセグメン５トには、公衆電話回線網やＩＳＤＮ回線網を介してリ
モートアクセスを行うために、ダイヤルアップルータやＴＡ／ＤＳＵが設置されている。
【００１３】
図１の保守サービス会社も複数のネットワークセグメントから構成されており、パブリ
ックネットワーク６（インターネット）に接続している。また、リモートアクセスを行う
保守端末のある部門のネットワークセグメント８に接続しており、そのネットワークセグ
メント８には、公衆電話回線網やＩＳＤＮ回線網を介してリモートアクセスを行うために
、ダイヤルアップルータＴＡ／ＤＳＵが設置されている。なお、リモートアクセスは、パ
ブリックネットワーク６上に仮想的な専用ネットワーク回線を実現するＶＰＮを構築して
、そのＶＰＮを経由して行うことも出来る。
【００１４】
図２は、図１の医用機関のネットワークセグメント５を形成している医用機器４と、保
守サービス会社のネットワークセグメント８に接続されている保守端末７のうちいずれか
が、パブリックネットワーク６（インターネット）で接続されている状態を示した図であ
り、実施例１に係るリモートアクセスシステムの全体構成を示す図である。
【００１５】
まず、保守端末７側には、医用機器４に対するリモートアクセスの許可を申請するリモー
トアクセス申請手段１１と、医用機器４へのリモートアクセスの許可証を医用機器４側か
ら受信するリモートアクセス許可証受信手段１２と、医用機器４側から受信したリモート
アクセスの許可証を表示して、医用機器４側へリモートアクセスの開始を促すリモートア
クセス許可証表示手段１３を備えている。
【００１６】
また、医用機器４側には、保守端末７側から送信されたリモートアクセス許可申請を受
信するリモートアクセス申請受付手段１４と、その受信したリモートアクセス許可申請を
保持しておくリモートアクセス申請管理手段１５とを有している。さらに、医用機器４が
現在どのような状態にあるのか等の医用機器４の処理状態を管理する装置状態管理手段１
６と、受信したリモートアクセス申請を表示し、申請に対する承認・却下を行うリモート
アクセス申請審査手段１７と、リモートアクセス申請に対する承認を表す許可証を作成し
、作成した許可証を送信するリモートアクセス許可証送信手段１８とを有している。
【００１７】
また、リモートアクセス申請管理手段１５に照会して新しいリモートアクセス申請を検
知した場合には、装置状態管理手段１６に医用機器４の処理状態を照会しつつ、予め決め
られた状態（例えば、検査の行われていない状態）であるときに、リモートアクセス申請
管理手段１５を介して審査依頼を行い、リモートアクセス申請審査手段１７からの審査結
果とともに、リモートアクセス許可証送信手段１８にリモートアクセスの許可を指示する
リモートアクセス申請処理手段１９とを配置する。
【００１８】
次に、図１乃至図７を用いて実施例１の動作を説明する。図３は、実施例１のリモート
アクセス申請の流れを示すフロー図である。
【００１９】
リモートアクセス申請手段１１は、（ステップＳ１）で保守端末７側で、保守サービスを
行う者が、医用機器４に対してリモートアクセスの許可を申請する。このときのリモート
アクセス申請画面の例を図４に示す。図４において、リモートアクセスする対象機器を接
続先６０のフォームへ入力または選択ボタン６２によって選択し、リモートアクセスする
ユーザのユーザＩＤをユーザＩＤ６１のフォームに入力する。さらに、ユーザＩＤ６１の
フォームに、リモートアクセス要求コマンド（例えば、「ＲＥＱＵＥＳＴ」）とユーザＩ
Ｄをフィールド区切り文字（例えば、「：」）で接続し、さらに終端文字（例えば、改行
文字）からなる送信メッセージを作成し、入力が完了したら申請ボタン６３を押して、そ
のＩＰアドレスとあらかじめ決められたポート番号に対して送信する。リモートアクセス
の申請を止める場合は、閉じるボタン６４を押してリモートアクセス申請画面を閉じるよ
うにする。このとき、リモートアクセス希望日時や作業開始予定時間を一緒に送信するよ
うにしても構わない。
【００２０】
なお、接続先６０への対象機器の入力は、医用機器４のネットワーク上の識別名（以下
、ホスト名）でも構わないし、ＩＰアドレスでも構わない。ここでホスト名が入力された
場合には、予め登録されているホスト名とＩＰアドレスの対応表からＩＰアドレスを取得
するやり方と、ＤＮＳを利用してホスト名からＩＰアドレスを取得するやり方によってＩ
Ｐアドレスを取得することが出来る。また、ユーザＩＤ６１のフォームには過去に入力し
たユーザのＩＤから、選択するようにしてもよい。
【００２１】
なお、図２のリモートアクセス申請手段１１からリモートアクセス申請受付手段１４へ
のメッセージの送信は、ＴＣＰ／ＩＰ上のソケット通信による単独プロトコルで行う。そ
の場合、ＲＰＣ（Ｒｅｍｏｔｅ  Ｐｒｏｃｅｄｕｒｅ  Ｃａｌｌ）や、ＳＯＡＰ（Ｓｉｍ
ｐｌｅ  Ｏｂｊｅｃｔ  Ａｃｃｅｓｓ  Ｐｒｏｔｏｃｏｌ）、ＩＩＯＰ（Ｉｎｔｅｒｎｅ
ｔ  Ｉｎｔｅｒ−ＯＲＢ  Ｐｒｏｔｏｃｏｌ）、ＲＭＩ（Ｒｅｍｏｔｅ  Ｍｅｔｈｏｄ  
Ｉｎｖｏｃａｔｉｏｎ）などの標準化された通信プロトコルを使用しても構わない。また
、ネットワーク上を流れるデータの安全性を確保するための、ＳＳＬ／ＴＬＳによる暗号
化通信でやり取りしても構わない。
【００２２】
次に、（ステップＳ２）において、リモートアクセス申請受付手段１４は、医用機器４
上であらかじめ決められたポート番号で保守端末７からのリモートアクセス許可申請メッ
セージの受信を待ち、リモートアクセス許可申請メッセージを受信したら、その受信した
メッセージをリモートアクセス申請管理手段１５に渡す。リモートアクセス申請受付手段
１４は、基本的にはリモートアクセス申請手段１１と対になるものであり、同じ通信プロ
トコルを使用しなければならない。
【００２３】
次に、（ステップＳ３）において、リモートアクセス申請管理手段１５は、リモートア
クセス申請受付手段１４から渡されるリモートアクセス許可申請メッセージを保存し、リ
モートアクセス申請処理手段１９からの要求に応じて、リモートアクセス許可申請メッセ
ージを管理する。リモートアクセス申請管理手段１５は、市販のメッセージ管理システム
を用いて実現しても構わないし、各メッセージをファイルとして保存して管理してもよい
。
【００２４】
さらに、リモートアクセス申請管理手段１５は、リモートアクセス許可申請メッセージ
の登録、更新、検索・取得、削除を行い、登録日時、ステータス、メッセージサイズ、送
信元ＩＰアドレスなどの管理情報をリモートアクセス許可申請メッセージに付与して管理
を行う。また、ＦＩＦＯ（Ｆｉｒｓｔ−Ｉｎ  Ｆｉｒｓｔ−Ｏｕｔ）方式でメッセージを
管理する。つまり、最初に登録されたリモートアクセス許可申請メッセージが基本的には
最初に取り出される。
【００２５】
さらに、リモートアクセス申請処理手段１９は、リモートアクセス申請管理手段１５を
介して、例えば１０分毎に一定間隔でリモートアクセス許可申請メッセージの有無を確認
する。または、新しいリモートアクセス許可メッセージが申請されてきたときに、リモー
トアクセス申請処理手段１９は、リモートアクセス申請管理手段１５を介して、リモート
アクセス許可申請メッセージを確認してもよい。
【００２６】
次に、（ステップＳ４）にてリモートアクセス許可申請メッセージが検知された場合に
は、（ステップＳ５）にて装置状態管理手段１６を介して装置の検査実施状態を確認する
。図５に医用機器の検査常態の一例を示す。図５を参照して説明すると、例えば、検査実
施状態が「待機中２１」の状態である場合には、リモートアクセス申請審査手段１７を介
して医用機器側のユーザにリモートアクセスの許可申請が来ていることを通知する。なお
、途中で検査実施状態が「待機中２１」状態から他の状態に遷移した場合には、自動的に
リモートアクセス申請審査手段１７に対して医用機器４側に表示された審査画面を非表示
に切替えるとともに、再度検査実施状態が「待機中２１」状態に戻ってきた場合に、リモ
ートアクセス申請審査手段１７に対して審査画面を表示に切替えるように構成しても構わ
ない。つまり、リモートアクセス申請処理手段１９から、審査画面の表示／非表示を切替
える要求があった場合には、その要求に基づき審査画面の表示／非表示が医用機器４側の
モニタ等で行われる。
【００２７】
なお、装置状態管理手段１６は、医用機器４が現在どの状態にあるのかを把握し、リモ
ートアクセス申請処理手段１９からの照会に応じて、現在の医用機器４の検査実施状態を
回答する。例えば、図５において、電源投入をトリガーとして、起動処理を行い、起動の
間は「起動中２０」状態となり、全ての起動が完了した時点で、「待機中２１」状態に遷
移する。「待機中２１」状態からは、検査を行う「患者検査中２２」状態に遷移したり、
撮影した画像の観察を行う「画像観察中２３」状態に遷移したり、ユーザからの指示に基
づいて「終了中２４」状態に遷移したりする。
【００２８】
また、検査が終了すれば、「患者検査中２２」状態から「待機中２１」状態に戻ったり
、「画像観察中２３」状態から「待機中２１」状態に戻ったりする。「患者検査中２２」
状態では、患者への検査内容の説明や、検査に必要な前処置、寝台への患者のセッティン
グ、撮影、検査後の患者状態の観察などが行われる。「画像観察中２３」状態では、撮影
した画像の観察や、それらの画像に対する解析処理や画像処理、それらの画像の保管や他
システムへの転送、フィルム作成などの処理が行われる。なお、「患者検査中２２」状態
の時に、医用機器４に不具合が生じた場合に、緊急の対応として患者の安全のためにもリ
モートアクセスによって医用機器４をリモートコントロールすることが必要になる場合が
ある。その場合は、「患者検査中２２」状態のときでもリモートアクセス許可申請が来て
いることを表示させることが求められる。そこで、装置の状態がいかなる状態の時でもリ
モートアクセス許可申請が来ていることを表示させるようにし、許可を出すことが出来る
ようにすることも可能である。また、特定の装置状態の時を選択してリモートアクセス許
可申請を表示させるようにし、医用機器側で許可を出せるようにしてもよい。
【００２９】
次に、（ステップＳ６）にてリモートアクセス申請審査手段１７において医用機器４側
のユーザからの審査結果（承認／却下）を入力または選択してもらう。例えば、図６にあ
るような審査画面が医用機器４側のモニタ等に表示される。そこで、医用機器４側のユー
ザは、リモートアクセスを要求してきている保守端末７側の接続先７０、ユーザＩＤ７１
、受付日時７２などを確認する。その上で、リモートアクセスを承認する場合には、承認
ボタン７３を押してリモートアクセスを承認し、却下する場合には、却下ボタン７４を押
してリモートアクセスを却下する。また、承認／却下をすぐに決められない場合には、保
留ボタン７５を押すことによって申請審査を保留することが出来る。なお、保留された申
請審査はある一定時間操作がない場合は、却下として扱われる。また、ユーザの審査結果
が「却下」の場合には、リモートアクセス許可証送信手段１８から、審査結果を返さない
ようにしてもよい。このとき、保守端末７側は「許可」の時のみ審査結果が返ってくるの
で、「却下」と間違えることがなく、「許可」の審査結果をリモートアクセスの開始の合
図と考えることが出来る。
【００３０】
さらに、リモートアクセス希望日時や作業予定時刻を図６の審査画面上に表示し、さら
にリモートアクセス許可日時をユーザが入力・選択できるようにしても構わない。
【００３１】
次に、（ステップＳ７）にて、リモートアクセス許可証送信手段１８は、図６において
、了承ボタン７３または却下ボタン７４に対してユーザからの選択が行われた場合には、
その操作をもとにリモートアクセス申請処理手段１９に対して審査結果を応答し、リモー
トアクセス申請処理手段１９からの要求をもとに、申請審査結果を保守端末７に送信する
。具体的には、申請審査結果をもとに、遠隔アクセス応答コマンド（例えば、「ＲＥＳＰ
ＯＮＳＥ」）とユーザＩＤと返信元ＩＰアドレスと審査結果（例えば、「ＴＲＵＥ」／「
ＦＡＬＳＥ」）をフィールド区切り文字（例えば、「：」）で接続し、さらに終端文字（
例えば、改行文字）からなる送信メッセージを作成し、リモートアクセス許可申請メッセ
ージ管理情報の中に格納している送信元ＩＰアドレスを取り出して、その送信元ＩＰアド
レスとあらかじめ決められたポート番号に対して、その作成した許可証メッセージを送信
する。その後、リモートアクセス申請管理手段１５に対して、処理が完了したメッセージ
の削除要求を行う。これにより、１つのリモートアクセス許可申請メッセージの処理が完
了する。
【００３２】
なお、リモートアクセス許可日時を入力できるようにした場合には、その日時情報を含
めてメッセージを作成する。
【００３３】
ここでの許可証メッセージの送信は、ＴＯＰ／ＩＰ上のソケット通信による独自プロト
コルで行う。なお、ＲＰＣやＳＯＡＰ、ＩＩＯＰ、ＲＭＩなどの標準化された通信プロト
コルを使用しても構わない。また、ネットワーク上を流れるデータの安全性を確保するた
めの、ＳＳＬ／ＴＬＳによる暗号化通信でやり取りしても構わない。
【００３４】
次に、（ステップＳ８）にて、保守端末７側のリモートアクセス許可証受信手段１２は
、医用機器４側からのリモートアクセス許可証メッセージを受信して、リモートアクセス
許可証表示手段１３に渡す。基本的には、医用機器４側のリモートアクセス許可証送信手
段１８と対になるものであり、同じ通信プロトコルを使用しなければならない。リモート
アクセス許可証受信手段１２は、保守端末７側であらかじめ決められたポート番号で医用
機器４からのリモートアクセス許可証メッセージの受信を待つ。リモートアクセス許可証
メッセージを受信したら、その受信したメッセージを解析し、ユーザＩＤと審査結果を取
り出して、リモートアクセス許可証表示手段３に渡す。
【００３５】
次に、（ステップＳ９）にて、保守端末７側のリモートアクセス許可証表示手段１３は
、リモートアクセス許可証受信手段１２が受信した情報をモニタ等に表示する。図７は、
リモートアクセス許可証表示手段１３の画面の例を示す。このように、リモートアクセス
許可申請画面のウィンドウ上に、「申請が許可されました」等のダイアログボックス８０
が表示される。なお、リモートアクセス許可証メッセージの中に、リモートアクセス許可
日時情報が含まれていた場合には、図７のダイアログボックス８０の画面上にその情報を
表示する。
【００３６】
以上説明したように、本発明の実施例１においては、医用機器側で、あらかじめリモー
トアクセスを行うことを事前に知ることが出来るため、リモートアクセスツールが動作す
ることによる、処理の遅延や予期しないウィンドウ画面の表示による操作の妨害などが発
生することを回避することが出来る。具体的には、医用機器４側の装置の状態が「待機中
２１」の状態の時のみ、リモートアクセスの申請が来ていることを通知するため、リモー
トアクセス許可申請の画面が作業中に突然表示されるようなことがなく、操作が妨害され
ることを回避することができる。
【００３７】
また、医用機器４側へのリモートアクセス許可申請の表示／非表示は、医用機器４の装
置の状態に左右されるが、「待機中２１」以外の状態でも、表示するように変更すること
が可能であるため、緊急を要するリモートアクセスの場合などは、装置が動いている時に
リモートアクセス許可申請が出来る。そのため、診療中に起こった問題に対する対処に対
してリモートアクセスの許可をすかさず出すことも出来る。
【００３８】
また、リモートアクセスが許可された時点で初めて医用機器４に対するリモート操作を
開始するため、誤ってリモートアクセスが開始されることがなく、医用機器４側は安心し
て診療を行うことが出来る。
【００３９】
また、ユーザのリモートアクセス許可申請の審査結果が「却下」の場合には、リモート
アクセス許可証送信手段１８から、審査結果を返さないようにすることによって、「許可
」の時だけ結果が返ってくるので、「却下」「許可」の審査結果をリモートアクセス側の
ユーザが誤って認識することを防ぐことができる。
【実施例２】
【００４０】
図８乃至図１０を参照して実施例２を説明する。
【００４１】
図８は実施例２のリモートアクセスシステムの構成を示す図である。なお、実施例２に
係る医療機関側のネットワーク構成と、リモートアクセスを行う保守サービス会社側のネ
ットワーク構成は実施例１にて説明したので、ここでは省略する。
【００４２】
実施例２において、実施例１と異なる点は、医用機器４側でリモートアクセスを検知し、
そのリモートアクセスのセキュリティ監査を行うという点である。実施例２では、図８に
あるように、医用機器４側には、セキュリティログ３８をもとに監査用のリモートアクセ
ス記録を作成するリモートアクセス記録作成手段３４を備えている。さらに、作成したリ
モートアクセス記録を医用機器４側のモニタ等に表示し、その記録に対する承認・却下を
行うリモートアクセス監査手段３５と、監査結果を保守端末７側へ送信するリモートアク
セス監査結果送信手段３６とを備えている。そして、リモートアクセス監査処理手段３７
が、リモートアクセス申請管理手段１５に照会して、医用機器４が新しいリモートアクセ
スを検知した場合に、装置状態管理手段１６に装置処理状態を照会する。それと同時もし
くは直後に、医用機器４側があらかじめ決められた装置状態であるときに、監査依頼を行
い、リモートアクセス監査手段３５からの監査結果をもとに、リモートアクセス監査結果
送信手段３６に監査結果の送信を指示するリモートアクセス監査処理手段３７とを配置す
る。
【００４３】
また、保守端末７側または保守サービス会社内に、医用機器４側からのリモートアクセ
スの監査結果を受信するリモートアクセス監査結果受信手段３０と、受信したリモートア
クセス監査結果を登録するリモートアクセス監査結果登録手段３１とを備えている。さら
に、登録された監査結果を管理するリモートアクセス監査結果管理手段３２と、管理され
ている監査結果を検索して表示するリモートアクセス監査結果表示手段３３とを配置して
いる。
【００４４】
次に、図８乃至図１０を参照して実施例２の動作を説明する。
【００４５】
まず、リモートアクセスをするために保守端末７側が医用機器４側に接続するときには、
ユーザ認証が行われ、そのユーザ認証の記録がリモートアクセス記録作成手段３４にて、
医用機器４側のセキュリティログ３８に記録される。具体的には、以下のような情報であ
る。リモートアクセスの種類（例えば、「成功の監査」）、日付（例えば、「２００３／
０９／２５」）、時刻（例えば、「１３：１１：０８」）、ソース（例えば、「ＳＥＣＵ
ＲＩＴＹ」）、分類（例えば、「システムイベント」）、イベント（例えば、「５２８」
）、ユーザ（例えば、「ＴＯＳＨＩＢＡ」）、コンピュータ（例えば、「ＴＯＳＨＩＢＡ
ＣＴ１」）となる。
【００４６】
例えば、イベントが「５２８」であれば、「保守端末７側のユーザがコンピュータへロ
グオンした」ことを表し、さらにログオンの種類として「２：対話型」であるのか「３：
ネットワーク型」であるのかを記録する。さらに、「ネットワーク型」であれば、アクセ
ス元のＩＰアドレスを記録する。イベントが「５３８」であれば、「保守端末７側のユー
ザのログオフ処理が完了した」ことを表す。また、ログオン時にログオンＩＤを発番し、
そのログオンＩＤをセキュリティログ３８に記憶し、ログオフ時にログオンＩＤを見るこ
とで、いつログオンしたのか、どんな作業が行われたのかなど、ログオンとログオフの対
応関係がすぐに呼び出せる。
【００４７】
さらに、リモートアクセス記録作成手段３４が、セキュリティログ３８を定期的に（例
えば、1日に1回）チェックし、セキュリティログ３８の中に「５２８：ユーザがコンピュ
ータへログオンした」もので、かつログオンの種類が「３：ネットワーク型」であるレコ
ードを探し、もし見つかった場合には、そのイベントの中のログオンＩＤを抽出して、ロ
グインＩＤが同じで、イベントが「５３８：ユーザのログオフ処理が完了した」レコード
を探して、リモートアクセス記録を作成する。
【００４８】
なお、セキュリティログ３８の中には、過去の記録も含まれているので、過去にチェッ
クしたものが重複してリストアップされる可能性があるので、前回最後にチェックしたレ
コードの日付と時刻を記録しておき、その日付と時刻以降のレコードからチェックする。
【００４９】
さらに、リモートアクセス申請管理手段１５から現在リモートアクセス申請が来ている
かどうかを照会して、申請元のＩＰアドレス、申請受付時刻、申請ステータス（申請中、
承認済み、却下済み）を取得し、リモートアクセス記録に追加するようにしても構わない
。
【００５０】
次に、リモートアクセス監査処理手段３７は、リモートアクセス記録作成手段３４を介
して、定期的にセキュリティログ３８の中に新しいリモートアクセス記録の有無を確認し
て、新しいリモートアクセスが検知された場合には、装置状態管理手段１６を介して医用
機器４の検査実施状態を確認する。装置状態管理手段１６は、図５にあるように、医用機
器４が現在どの状態にあるのかを把握するものであり、リモートアクセス監査処理手段３
７からの照会に応じて、現在の医用機器４の検査実施状態を回答する。なお、医用機器４
の装置状態については、実施例１で説明したので省略する。
【００５１】
ここで、検査実施状態が「待機中２１」状態である場合には、リモートアクセス監査手段
３５は、医用機器４側のユーザにリモートアクセスが行われていること、またはリモート
アクセスが行われたことをリモートアクセス監査処理手段３６からの要求をもとに、医用
機器４側のユーザへ通知する。
【００５２】
例えば、図９はリモートアクセス監査結果の入力画面の一例であり、このような画面に
そのリモーアクセスが適切なものであるかどうかの監査結果を入力または選択してもらう
。このとき、医用機器４側のユーザは、リモートアクセスを行っている保守端末７側の要
求元９０とユーザＩＤ９１を確認する。さらに、リモートアクセスの申請をしてきた日時
等（申請有無９２、申請日時９３、審査日時９４）を確認し、実際にリモートアクセスが
行われたのかどうか（作業ステータス９５、開始日時９６、終了日時９７）を確認する。
ここで、内容に誤り等の問題がなかった場合承認ボタン９８を押して、監査内容を承認す
る。問題があった場合は、却下ボタン９９を押して、リモートアクセス監査処理手段３６
へ最初から監査をやり直すように指示が送られる。また、一度保留にする場合は保留ボタ
ン１００を押して、画面を非表示にすることもできる。さらに、保留の期間がある一定時
間続いた場合は、却下ボタン９９を押した場合と同じように、リモートアクセス監査処理
手段３６へ最初から監査をやり直すように指示が送られるようにしてもよい。図９におい
て、ユーザからの入力または選択が行われた場合には、その操作をもとにリモートアクセ
ス監査処理手段３７に対して監査結果を応答する。
【００５３】
さらに、途中で検査実施状態が「待機中２１」状態から他の状態に遷移した場合には、
自動的にリモートアクセス監査手段３５に対してリモートアクセス監査結果の入力画面を
非表示に切替えるとともに、再度検査実施状態が「待機中２１」状態に戻ってきた場合に
、リモートアクセス監査手段３５に対してリモートアクセス監査結果の入力画面を表示に
切替えるように構成しても構わない。
【００５４】
次に、リモートアクセス監査結果送信手段３６は、リモートアクセス監査処理手段３７
からの要求をもとに、監査結果を保守端末７側へ送信する。具体的には、監査結果をもと
に、監査結果コマンド（例えば、「ＡＵＤＩＴ」）と、リモートアクセスを行ったユーザ
ＩＤとリモートアクセス開始時刻（ログオン日時）／リモートアクセス終了時刻（ログオ
フ日時）と事前申請有無と送信元ＩＰアドレスと監査結果（例えば、「ＴＲＵＥ」／「Ｆ
ＡＬＳＥ」）をフィールド区切り文字（例えば、「：」）で接続し、さらに終端文字（例
えば、改行文字）からなる送信メッセージを作成し、あらかじめ決められた送信先ＩＰア
ドレスとポート番号に対して、その作成した監査結果メッセージを送信する。
【００５５】
なお、監査結果メッセージの送信は、ＴＣＰ／ＩＰ上のソケット通信による独自プロト
コルで行う。なお、ＲＰＣや、ＳＯＡＰ、ＩＩＯＰ、ＲＭＩなどの標準化された通信プロ
トコルを使用しても構わない。また、ネットワーク上を流れるデータの安全性を確保する
ための、（ＳＳＬ／ＴＬＳ）による暗号化通信でやりとりしても構わない。
【００５６】
次に、保守端末７のリモートアクセス監査結果受信手段３０は、監査結果メッセージを受
信して、リモートアクセス監査結果登録手段３１に渡す。
【００５７】
リモートアクセス監査結果受信手段３０は、基本的には医用機器４側のリモートアクセ
ス監査結果送信手段３６と対になるものであり、同じ通信プロトコルを使用しなければな
らない。また、リモートアクセス監査結果受信手段３０は、任意の保守端末７であらかじ
め決められたポート番号で医用機器４からの監査結果メッセージの受信を待つプログラム
として構成する。監査結果メッセージを受信したら、その受信した監査結果メッセージを
解析し、リモートアクセスを行ったユーザＩＤ、リモートアクセス開始時刻（ログオン日
時）、リモートアクセス終了時刻（ログオフ日時）、事前申請有無、送信元ＩＰアドレス
、監査結果を取り出して、リモートアクセス監査結果登録手段３１に渡す。
【００５８】
次に、リモートアクセス監査結果登録手段３１は、リモートアクセス監査結果受信手段
３０で取得した監査結果情報をリモートアクセス監査結果管理手段３２に登録する。リモ
ートアクセス監査結果管理手段３２は、異なるコンピュータシステム上で動作させること
もできるので、ネットワーク経由で監査結果情報を登録する。なお、リモートアクセス監
査結果管理手段３２がデータベース管理システムで構築されている場合には、ＳＱＬなど
のデータベース操作言語に基づくデータ登録ステートメントを作成し、ネットワーク経由
でその作成したデータ登録ステートメントを送信することで監査結果を登録する。
【００５９】
なお、リモートアクセス監査結果管理手段３２とリモートアクセス監査結果登録手段３
１を同じコンピュータシステム上に配置しても構わない。また、独自の通信プロトコルで
監査結果情報を登録しても構わない。また、リモートアクセス監査結果管理手段３２は、
リモートアクセス監査結果を管理するため。データベース管理システムで管理してもよい
し、ファイルとして管理してもよい。
【００６０】
図１０に監査結果表示画面の例を示すように、監査結果の表示画面は最初に接続先１０
１とユーザＩＤ１０２が表示され、誰がどこにアクセスしたものかを表示する。続いて、
リモートアクセス許可申請が許可／却下のどちらになったのかが申請有無１０３に表示さ
れ、リモートアクセスの申請日時１０４とリモートアクセスの許可／却下の審査日時１０
５が表示される。また、監査結果１０６につづいて、作業開始日時１０７及び作業終了日
時１０８が表示される。なお、リモートアクセス監査結果表示手段３３は、監査結果を調
べたい装置などの検索条件を入力して、当該監査結果の一覧を表示させて、その一覧の中
で、選択した監査結果を表示する。
【００６１】
以上説明したように、本発明の実施例２においては、医用機器側にリモートアクセスを
する際にセキュリティログ３８を残し、セキュリティログからリモートアクセス監査記録
を残すことによって、そのリモートアクセスが正当なものであるかどうかを、医用機器上
でユーザ操作を阻害することなく、確認することが出来る。
【００６２】
また、リモートアクセス監査記録を保守端末側で管理することによって、保守端末４側
でリモートアクセス監査記録を確認し、医用機器４に対するリモートアクセスの状況を好
きなときに確認できるので、保守端末７側から医用機器４側への不正なアクセスなどが合
った場合にもすぐに見つけることができる。
【００６３】
また、リモートアクセス監査記録を保守端末７側で監査結果を調べたい装置などの検索
条件を入力して、リモートアクセス監査結果を表示することが出来るので、調べたい特定
の医用機器４のリモートアクセス監査結果をすぐに見つけることができる。
【００６４】
また、セキュリティログのチェックを、前回最後にチェックしたレコードの日付と時刻
を記録しておき、その日付と時刻以降のレコードからチェックすることにより、セキュリ
ティログの中の過去にチェックしたものが重複してリストアップされるのを防ぐことが出
来る。
【実施例３】
【００６５】
図１１乃至図１３を参照して実施例３を説明する。
【００６６】
図１１は実施例３のリモートアクセスシステムの構成を示す図である。なお、実施例３
に係る医療機関側のネットワーク構成と、リモートアクセスを行う保守サービス会社のネ
ットワーク構成は実施例１にて説明したので、ここでは省略する。
【００６７】
実施例３において、実施例１、２と異なる点は、医用機器４側のセキュリティ監査結果と
保守端末７側のセキュリティ監査結果を結合して、セキュリティ監査レポートを作成する
という点である。実施例３では、図１１にあるように、保守端末７側または保守サービス
会社内に、ユーザのログオン／ログオフを記録するユーザ認証手段４０と、ユーザの認証
結果を中央管理するユーザ認証記録管理手段４１を備えている。さらに、装置識別情報を
もとにリモートアクセス監査結果管理手段３２に照会して、リモートアクセス監査結果を
取得し、そのリモートアクセス監査結果をもとに、ユーザ認証記録管理手段４１に照会し
てその当該リモートアクセスが存在するかどうかを確認し、そのリモートアクセス監査結
果とユーザ認証結果を監査レポートとして作成する監査レポート作成手段４２を備えてい
る。さらに、その監査レポートを表示する監査レポート表示手段４３と、その監査レポー
トを送信する監査レポート送信手段４４とを配置する。
【００６８】
図１１乃至図１３を参照して、実施例３の動作を説明する。
【００６９】
まず、ユーザ認証手段４０は、保守端末７側で、ログインするユーザを認証する。この
とき、ＩＤ／パスワードによるベーシック認証方式でもよいし、指紋などのバイオメトリ
ック情報を使った認証方式でも良いし、ＩＣカードなどの物理媒体を使った認証方式でも
よい。ユーザ認証手段４０は、基本的には、ユーザ認証記録管理手段４１に対して、認証
要求を行う。
【００７０】
次に、ユーザ認証記録管理手段４１は、各保守端末７で行われるユーザ認証を行い、そ
の認証記録を保持する。また、保守端末７が参加するネットワークドメインを設け、その
ネットワークドメインに保守端末７を使用する全てのユーザを登録し、保守端末７にログ
オンする際には、そのネットワークドメインにログオンするようにする。これにより、各
保守端末７でユーザがネットワークドメインを指定し、ユーザ認証情報を入力すると、そ
のユーザ認証情報がユーザ認証記録管理手段４１（ドメインコントローラ）に送信され、
そこでそのユーザの本人性が確認される。本人性が確認された場合には、その保守端末７
にログオンすることができる。
【００７１】
次に、監査レポート作成手段４２は、リモートアクセス監査記録管理手段３２に管理さ
れている監査結果情報と、ユーザ認証記録管理手段４１に管理されている保守端末７の利
用情報をもとに、監査結果情報に記載されているリモートアクセスが確かに行われたかど
うかを確認し、その結果をもとにレポートを作成する。図１２に監査レポートの例を示す
。
【００７２】
図１２にあるように、作業対象機器１１０には、装置の種類と製品シリアル番号、そし
て装置ＩＰアドレスが表示される。さらに、作業記録１１１には、作業日、作業時間、ユ
ーザＩＤと社内の記録の有無が表示される。なお、監査レポートは、図１２にあるように
月ごとに出されるものでも良いし、週ごとに出されるものでも良い。
【００７３】
次に、監査レポート表示手段４３は、監査レポート作成手段４２で作成した監査レポート
を表示する。レポートは、ＸＭＬ形式で作成されるので、Ｗｅｂブラウザ形式で、そのＸ
ＭＬファイルを表示させると、そのスタイルシートにしたがって、監査レポートを表示す
る。また、保守端末７とユーザＩＤごとに監査レポートのタイムチャートを作成し、重複
したリモートアクセスがないことをチェックするようにしてもよい。
【００７４】
次に、監査レポート送信手段４４は、監査レポート作成手段４２で作成した監査レポー
トを、メッセージ中に記載されている送付先アドレスとレポート種別をもとに、レポート
種別が電子メールの場合には、ＸＭＬファイルを電子メールの添付ファイル形式として、
その指定された送付先アドレスに当て先とした電子メールを作成し、電子メールサーバに
ＳＭＴＰプロトコルで送信する。なお、添付ファイルは、圧縮して送付しても構わない。
レポート種別がＦＡＸの場合には、ＸＭＬファイルからイメージデータを作成し、ＦＡＸ
サーバに送信する。ＦＡＸサーバは、電話回線に接続されており、指定された電話番号に
そのイメージデータを送信することができる。ＦＡＸサーバには、ＦＡＸ印刷デバイスを
指定し、送信先とＦＡＸ番号をセットして印刷を指示することで実現する。
【００７５】
ここで、監査レポート作成・送信の処理の流れを、図１３に示す。
【００７６】
まず、監査レポートは、基本的に医用機器４ごとに定期的に作成される。図１３にある
ような、リモートアクセス監査結果受信手段３０からの監査結果と、保守機器契約管理シ
ステム５０において管理されている、保守契約を締結している機器情報（装置種別、装置
型式、製品シリアル番号）と、顧客情報（医療機関名、住所、代表者氏名、レポート種別
、レポート送付先）、保守情報（据付日時、装置ＩＰアドレス、保守契約有無、保守契約
内容、保守契約満了期限）等が関連付けられてリモートアクセス監査結果登録手段３１へ
送られる。
【００７７】
そして、リモートアクセス監査結果登録手段３１は、レポート作成指示を行うＧＵＩ画
面を持ち、そのＧＵＩ画面から、装置種別（例えば、Ｘ線ＣＴ装置）とレポート作成月を
入力・選択し、指定された装置種別に一致して、保守契約を締結している機器の一覧と、
各機器について装置種別、装置型式、製品シリアル番号、レポート種別（電子メール／Ｆ
ＡＸ）と送付先アドレス（複数可）と装置ＩＰアドレスを取得して、医用機器４ごとにレ
ポート作成指示書を作成し、リモートアクセス監査結果管理手段３２にて管理する。リモ
ートアクセス監査結果管理手段３２は、メッセージ管理システムで管理されているものと
して、ＦＩＦＯ方式でメッセージを順番に取り出せるものとする。監査レポート作成手段
４２は、メッセージ管理システムで管理されているメッセージのうち、最初のものをまず
取り出して、そのメッセージ内に記載されている装置種別、装置型式、製品シリアル番号
、ＩＰアドレス、レポート種別、送付先アドレスを取り出し、レポートを作成して、その
作成したレポートを送信する。監査レポート作成手段４２は、全てのメッセージを処理す
るまで、レポートの作成を繰り返し、全てのレポート作成が完了した時点で、新しいメッ
セージ待ち状態で待機する。
【００７８】
レポートの作成は、ＩＰアドレスを検索条件として、同じＩＰアドレスを含む監査結果
レコードをリモートアクセス監査結果管理手段３２から取得し、次のそのリモートアクセ
ス監査記録レコードにあるアクセス元のＩＰアドレスをもとに、ユーザ認証記録管理手段
４１から当該レコードを取得する。そして、監査結果レコードにあるリモートアクセス時
間と、ユーザ認証記録レコードにある作業時間（ログオン時間とログオフ時間）を比較し
て、時間が重複しているかどうかで社内記録の有無を判断して、そのユーザＩＤを付加し
て監査レポートを作成する。
【００７９】
そして、一つの保守用端末では、複数の医用機器に同時にアクセスすることはできない
ので、保守用端末とユーザＩＤごとにタイムチャートを作成し、重複したリモートアクセ
スがないことをチェックすることで、さらにリモートアクセスが適切に行われているかど
うかを確認することもできる。レポートは、ＸＭＬ形式で作成し、スタイルシートを付加
するものとする。
【００８０】
次に、監査レポート送信手段４４が、レポート種別が電子メールの場合には、ＸＭＬフ
ァイルを電子メールの添付ファイル形式として、その指定された送付先アドレスに当て先
とした電子メールを作成し、電子メールサーバにＳＭＴＰプロトコルで送信する。また、
レポート種別がＦＡＸの場合には、ＸＭＬファイルからイメージデータを作成し、ＦＡＸ
サーバに送信する。ＦＡＸサーバは、電話回線に接続されており、指定された電話番号に
そのイメージデータを送信することができる。
【００８１】
以上説明したように、本発明の実施例３では、リモートアクセスが、保守サービス会社か
ら確かに行われたことを確認することが出来る。
【００８２】
つまり、不正アクセスや誤ったアクセスを特定することが可能になり、リモートアクセ
ス側のログと医用機器側のログをつき合わせることにより、いつ、だれが、どこからアク
セスしのか、どのくらいの時間をアクセスしたのかを特定できるため、より安全にリモー
トアクセスを行うことができる。
【００８３】
また、リモートアクセスに異常があった場合にも、すぐにログをつき合わせて原因を突
き止めることが出来るので、その後の対処が迅速に行うことが可能になる。
【００８４】
また、監査レポートを一覧にして医用機器４のユーザ側に定期的に提出することも可能
であり、定期的に監査ログをチェックすることによって、リモートアクセスの管理ミスを
定期的にチェックすることが出来る。
【００８５】
また、保守端末７とユーザＩＤごとにタイムチャートを作成し、重複したリモートアク
セスがないことをチェックすることで、リモートアクセスが適切に行われているかどうか
を確認することもできる。
【００８６】
なお、本発明は以上の構成に限定されるものではなく、種々変更が可能である。
【図面の簡単な説明】
【００８７】
【図１】本発明による医用機器が設置される医療機関側のネットワーク構成と、遠隔アクセスを行う保守サービス会社のネットワーク構成を示す図。
【図２】本発明の実施例１に係る遠隔アクセスシステムの全体構成を示す図。
【図３】本発明の実施例１のリモートアクセス申請の流れを示すフロー図。
【図４】本発明の遠隔アクセス申請画面の例を示す図。
【図５】本発明の医用機器の検査状態を示す図。
【図６】本発明のリモートアクセス申請審査画面の例を示す図。
【図７】本発明のリモートアクセス許可証表示画面の例を示す図。
【図８】本発明の実施例２の遠隔アクセスシステムの構成を示す図。
【図９】本発明のリモートアクセス監査画面の例を示す図。
【図１０】本発明のリモートアクセス監査結果表示画面の例を示す図。
【図１１】本発明の実施例３の遠隔アクセスシステムの構成を示す図。
【図１２】本発明のリモートアクセス監査レポートの例を示す図。
【図１３】本発明の監査レポート作成・送信の処理の流れを示す図。
【符号の説明】
【００８８】
１１    リモートアクセス申請手段
１２    リモートアクセス許可証受信手段
１３    リモートアクセス許可証表示手段
１４    リモートアクセス申請受付手段
１５    リモートアクセス申請管理手段
１６    装置状態管理手段
１７    リモートアクセス申請審査手段
１８    リモートアクセス許可証送信手段
１９    リモートアクセス申請処理手段
３０    リモートアクセス監査結果受信手段
３１    リモートアクセス監査結果登録手段
３２    リモートアクセス監査結果管理手段
３３    リモートアクセス監査結果表示手段
３４    リモートアクセス記録作成手段
３５    リモートアクセス監査手段
３６    リモートアクセス監査結果送信手段
３７    リモートアクセス監査処理手段
４０    ユーザ認証手段
４１    ユーザ認証記録管理手段
４２    監査レポート作成手段
４３    監査レポート表示手段
４４    監査レポート送信手段
【図１】
2008097187.tif 000003
【図２】
2008097187.tif 000004
【図３】
2008097187.tif 000005
【図４】
2008097187.tif 000006
【図５】
2008097187.tif 000007
【図６】
2008097187.tif 000008
【図７】
2008097187.tif 000009
【図８】
2008097187.tif 000010
【図９】
2008097187.tif 000011
【図１０】
2008097187.tif 000012
【図１１】
2008097187.tif 000013
【図１２】
2008097187.tif 000014
【図１３】
2008097187.tif 000015